(57)【要約】【課題】本発明は、機能・衛生・物性が優れた歯ブラシ等携帯用ケースを提供する。【解決手段】天面部１に側面部２、２を設け、該側面部２、２内面の側面段差境界線部２ｂ、２ｂから、側面下端部２ｃ、２ｃにかけて、側面薄肉部２a、２aを設け、該側面薄肉部２ａ、２ａにボス受け穴部７、７を設け、該天面部１前縁にフロントフック部８を設け、後縁に背面部４を設けた被せ蓋Ｘと、底面部２０に側面部２１、２１を設け、該側面部２１、２１の側面上端部２１ｃ、２１ｃから該側面部２１、２１外面の側面段差境界線部２１ｂ、２１ｂにかけて、側面薄肉部２１ａ、２１ａを設け、該側面薄肉部２１ａ、２１ａにボス部２６、２６を設け、該底面部２０に押し板２７とフロントフック用受け溝部２８を設け、後縁に背面部２３を設けた底ケースＹとを重ね合わせたことを特徴とする歯ブラシ等携帯用ケースＺである。【選択図】図３
2005052525.tif 000002
【特許請求の範囲】
【請求項１】
被せ蓋と底ケースとで構成されている歯ブラシ等携帯用ケースにおいて、長尺な天面部と該天面部の一端部から他端部にその長手方向に沿って両側縁に各々側面部を立ち下げ、各々該側面部の該両側縁から垂下した所定の位置の一端部から他端部にその長手方向に沿って、各々該側面部内面に各々側面段差境界線部を設け、各々該側面段差境界線部から、各々側面下端部にかけて、任意の形状を有する各々側面薄肉部を設け、各々該側面薄肉部の一端部に各々ボス受け穴部を設け、該天面部の前縁に逆Ｌ字型ノッチ形状のフロントフック部を設け、後縁に背面部を立ち下げた底面開口の逆トレー状の被せ蓋と、長尺な底面部と該底面部の一端部から他端部にその長手方向に沿って両側縁に各々側面部を立ち上げ、各々該側面部の各々側面上端部から垂下した所定の位置の一端部から他端部にその長手方向に沿って、各々該側面部外面に各々側面段差境界線部を設け、各々該側面段差境界線部から各々該側面上端部にかけて、任意の形状を有する各々側面薄肉部を設け、各々該側面薄肉部の一端部に各々ボス部を設け、該底面部の前縁に押し板とフロントフック用受け溝部を有する正面部を立ち上げ、後縁に背面部を立ち上げた上面開口のトレー状の底ケースとを組み合わせ、該被せ蓋の各々該側面薄肉部の内面と該底ケースの各々該側面薄肉部の外面とをスライドさせて重ね合わせ、該被せ蓋の各々ボス受け穴部と該底ケースの各々ボス部とを遊嵌させ、該被せ蓋と該底ケースを支持することにより開閉自在にしたことを特徴とする歯ブラシ等携帯用ケース。
【請求項２】
前記被せ蓋の天面部の外面側一端部にディンプル部が設けられていることを特徴とする請求項１記載の歯ブラシ等携帯用ケース。
【請求項３】
前記被せ蓋の天面部の内面側中央部に歯ブラシの横ぶれ防止板が設けられていることを特徴とする請求項１又は２記載の歯ブラシ等携帯用ケース。
【請求項４】
前記被せ蓋の天面部の一端部に歯ブラシ等乾燥用の通気孔が設けられていることを特徴とする請求項１乃至３のいずれか１項記載の歯ブラシ等携帯用ケース。
【請求項５】
前記被せ蓋の天面部の内面側一端部に歯ブラシホルダーが設けられていることを特徴とする請求項１乃至４のいずれか１項記載の歯ブラシ等携帯用ケース。
【請求項６】
前記被せ蓋のフロントフック部の内面側に割れ防止用リブが設けられていることを特徴とする請求項１乃至５のいずれか１項記載の歯ブラシ等携帯用ケース。
【請求項７】
前記歯ブラシホルダーのＵ字部の底辺部に割れ防止用リブ及び天面部との接合部に横倒れ防止用リブが設けられていることを特徴とする請求項１乃至６のいずれか１項記載の歯ブラシ等携帯用ケース。
【請求項８】
前記歯ブラシの横ぶれ防止板と天面部との接合部分に割れ防止用リブが設けられていることを特徴とする請求項１乃至７のいずれか１項記載の歯ブラシ等携帯用ケース。
【請求項９】
前記被せ蓋の背面部は歯ブラシの柄先端の落下衝撃による割れ防止のため多肉部に成形されていることを特徴とする請求項１乃至８のいずれか１項記載の歯ブラシ等携帯用ケース。
【請求項１０】
前記底ケースの底面部の一端部に歯ブラシ等乾燥用の通気孔が設けられていることを特徴とする請求項１記載の歯ブラシ等携帯用ケース。
【請求項１１】
前記底ケースの内面側の一端部に歯磨きチューブと歯間ブラシとを分離するための仕切
り板が設けられていることを特徴とする請求項１又は１０記載の歯ブラシ等携帯用ケース。
【請求項１２】
前記底ケースの正面部の内面側にタワミ防止用リブが設けられていることを特徴とする請求項１又は１０又は１１記載の歯ブラシ等携帯用ケース。
【請求項１３】
前記底ケースの背面部の外面側に位置決めストッパーが設けられていることを特徴とする請求項１又は１０又は１１又は１２記載の歯ブラシ等携帯用ケース。
【発明の詳細な説明】
【技術分野】
【０００１】
本発明は、洗面道具の一つである歯ブラシ、歯磨きチューブ、歯間ブラシをセットにして収納し、旅行などに携行する際に使用する携帯用ケースに関するもので、さらに詳しくはコンパクトで収納性、利便性も良く、開閉機構も完全で、衛生的で、強度的にも優れた歯ブラシ等携帯用ケースに関するものである。
【背景技術】
【０００２】
従来から、歯ブラシ等携帯用ケースには、いろいろな種類の合成樹脂製携帯用ケースが使用されている。
【０００３】
例えば、1)ブロー成形法でチューブ状に成形した筒状の合成樹脂製本体容器に、別途、射出成形法により成形した被せ蓋形状の合成樹脂製ワンタッチ嵌合蓋を取り付けた形態の筒状タイプの合成樹脂製携帯用ケース。
【０００４】
2)厚手の塩化ビニル樹脂などの合成樹脂フィルムを筆記具入れ形状に製袋し、長手方向に沿って、歯ブラシや歯磨きチューブを出し入れするファスナーを取り付けた袋状タイプの合成樹脂製携帯用ケース。
【０００５】
3)射出成形法により、合成樹脂製本体容器と蓋を各々印籠形態に成形し、それを組み合わせて使用する印籠タイプの合成樹脂製携帯用ケース。
【０００６】
4)射出成形法により、合成樹脂製本体容器と蓋を各々トレー状に成形し、それらを止め具で一体化して使用する筆記具入れタイプの合成樹脂製携帯用ケース。
【０００７】
これらの従来タイプの携帯用ケースの内、1)の筒状タイプと2)の袋状タイプ及び3)の印籠タイプは、歯ブラシ、歯磨きチューブ、歯間ブラシをそれぞれ個別に区切って収納していないので、ケースの中でお互いに接触して非衛生的である。
【０００８】
また、使用後の歯ブラシや歯間ブラシは水分が付着したままケースに収納されるのが一般的であるが、従来の1)と2)のタイプの携帯用ケースは、通気孔がなく密閉されてしまうので、空気の流通がなく、特に歯ブラシの植毛部分は、いつまでも湿気が残り、細菌の繁殖を促す環境になり、非常に非衛生的である。
【０００９】
3)の印籠タイプは、合成樹脂製本体容器の底面部と蓋の天面部とに各々通気孔はあるが、通気孔の孔の面積が非常に小さく、且つ歯ブラシの植毛部分に近接していないので乾燥効率が良くない問題点がある。
【００１０】
また、1)の合成樹脂製ワンタッチ嵌合蓋を取り付けた筒状タイプの合成樹脂製携帯用ケースは、筒状の形態をしているので、歯ブラシ、歯磨きチューブ、歯間ブラシの出し入れが嵌合蓋の一箇所からしか行えないので利便性が良くない。
【００１１】
すなわち、筒状の本体部分と嵌合蓋とを接合した繋ぎ目に段差があり、特に歯ブラシ、歯磨きチューブ、歯間ブラシの長さが短い場合は、その繋ぎ目の段差部分が障害となってスムーズに出しにくい問題点がある。
【００１２】
次に、2)の袋状タイプの合成樹脂製携帯用ケースは、該ケースの材料が軟質の合成樹脂製シートであるため、剛性がないので歯ブラシ、歯磨きチューブ、歯間ブラシを外部から
の圧力にたいして保護できずに、特に歯磨きチューブが破袋して内容物が飛散したりする問題が発生することがある。
【００１３】
次に、4)の筆記具入れタイプは、射出成形法により、合成樹脂製本体容器と蓋を各々トレー状に成形し、該本体容器と蓋の長手方向に沿って、所定の位置の２箇所に設けた止め具で一体化した合成樹脂製携帯用ケースである。
【００１４】
この4)の筆記具入れタイプは、歯ブラシや歯磨きチューブを区分けして収納でき、通気孔もあり、ケース自身も剛性があり、強度的にも問題はなく、他の合成樹脂製携帯用ケースに比較して、一番問題点の少ない携帯用ケースであるが、誤って落としてしまった時など、本体容器と蓋とが外嵌合形式の開閉機構であるため、簡単に蓋が開口して収納されている歯ブラシ、歯磨きチューブ、歯間ブラシがばらばらになって飛び出してしまう問題点が発生する。
【００１５】
以上のように、従来の歯ブラシ等携帯用ケースでは、コンパクト性、分割収納性、利便性、開閉機能性、衛生性、強度物性など全ての条件を解決することはできないのが現状である。
【発明の開示】
【発明が解決しようとする課題】
【００１６】
本発明は、コンパクト性、分割収納性、利便性、開閉機能性、衛生性、強度物性など全ての条件を解決する完全な歯ブラシ等携帯用ケースを提供する。
【課題を解決するための手段】
【００１７】
本発明は、上記のような課題を解決する為に成されたもので、本発明の請求項１に係る発明は、被せ蓋Ｘと底ケースＹとで構成されている歯ブラシ等携帯用ケースＺにおいて、長尺な天面部１と該天面部１の一端部から他端部にその長手方向に沿って両側縁に各々側面部２、２を立ち下げ、各々該側面部２、２の該両側縁から垂下した所定の位置の一端部から他端部にその長手方向に沿って、各々該側面部２、２内面に各々側面段差境界線部２ｂ、２ｂを設け、各々該側面段差境界線部２ｂ、２ｂから、各々側面下端部２ｃ、２ｃにかけて、任意の形状を有する各々側面薄肉部２ａ、２ａを設け、各々該側面薄肉部２ａ、２ａの一端部に各々ボス受け穴部７、７を設け、該天面部１の前縁に逆Ｌ字型ノッチ形状のフロントフック部８を設け、後縁に背面部４を立ち下げた底面開口の逆トレー状の被せ蓋Ｘと、長尺な底面部２０と該底面部２０の一端部から他端部にその長手方向に沿って両側縁に各々側面部２１、２１を立ち上げ、各々該側面部２１、２１の各々側面上端部２１ｃ、２１ｃから垂下した所定の位置の一端部から他端部にその長手方向に沿って、各々該側面部２１、２１外面に各々側面段差境界線部２１ｂ、２１ｂを設け、各々該側面段差境界線部２１ｂ、２１ｂから各々該側面上端部２１ｃ、２１ｃにかけて、任意の形状を有する各々側面薄肉部２１ａ、２１ａを設け、各々該側面薄肉部２１ａ、２１ａの一端部に各々ボス部２６、２６を設け、該底面部２０の前縁に押し板２７とフロントフック用受け溝部２８を有する正面部２２を立ち上げ、後縁に背面部２３を立ち上げた上面開口のトレー状の底ケースＹとを組み合わせ、該被せ蓋Ｘの各々該側面薄肉部２ａ、２ａの内面と該底ケースＹの各々該側面薄肉部２１ａ、２１ａの外面とをスライドさせて重ね合わせ、該被せ蓋Ｘの各々ボス受け穴部７、７と該底ケースＹの各々ボス部２６、２６とを遊嵌させ、該被せ蓋Ｘと該底ケースＹを支持することにより開閉自在にしたことを特徴とする歯ブラシ等携帯用ケースである。
【００１８】
本発明の請求項２に係る発明は、請求項１記載の歯ブラシ等携帯用ケースＺにおいて、前記被せ蓋Ｘの天面部１の外面側一端部にディンプル部５が設けられていることを特徴とする歯ブラシ等携帯用ケースＺである。
【００１９】
本発明の請求項３に係る発明は、請求項１又は２記載の歯ブラシ等携帯用ケースＺにおいて、前記被せ蓋Ｘの天面部１の内面側中央部に歯ブラシの横ぶれ防止板９が設けられていることを特徴とする歯ブラシ等携帯用ケースＺである。
【００２０】
本発明の請求項４に係る発明は、請求項１乃至３のいずれか１項記載の歯ブラシ等携帯用ケースＺにおいて、前記被せ蓋Ｘの天面部１の一端部に歯ブラシ等乾燥用の通気孔６が設けられていることを特徴とする歯ブラシ等携帯用ケースＺである。
【００２１】
本発明の請求項５に係る発明は、請求項１乃至４のいずれか１項記載の歯ブラシ等携帯用ケースＺにおいて、前記被せ蓋Ｘの天面部１の内面側一端部に歯ブラシホルダー１０が設けられていることを特徴とする歯ブラシ等携帯用ケースＺである。
【００２２】
本発明の請求項６に係る発明は、請求項１乃至５のいずれか１項記載の歯ブラシ等携帯用ケースＺにおいて、前記被せ蓋Ｘのフロントフック部８の内面側に割れ防止用リブ１１が設けられていることを特徴とする歯ブラシ等携帯用ケースＺである。
【００２３】
本発明の請求項７に係る発明は、請求項１乃至６のいずれか１項記載の歯ブラシ等携帯用ケースＺにおいて、前記歯ブラシホルダー１０のＵ字部の底辺部に割れ防止用リブ１１及び天面部１との接合部分に横倒れ防止用リブ１２が設けられていることを特徴とする歯ブラシ等携帯用ケースＺである。
【００２４】
本発明の請求項８に係る発明は、請求項１乃至７のいずれか１項記載の歯ブラシ等携帯用ケースＺにおいて、前記歯ブラシの横ぶれ防止板９と天面部１との接合部分に割れ防止用リブ１１が設けられていることを特徴とする歯ブラシ等携帯用ケースＺである。
【００２５】
本発明の請求項９に係る発明は、請求項１乃至８のいずれか１項記載の歯ブラシ等携帯用ケースＺにおいて、前記被せ蓋Ｘの背面部４は歯ブラシの柄先端の落下衝撃による割れ
防止のため多肉部１３に成形されていることを特徴とする歯ブラシ等携帯用ケースである。
【００２６】
本発明の請求項１０に係る発明は、請求項１記載の歯ブラシ等携帯用ケースＺにおいて、前記底ケースＹの底面部２０の一端部に歯ブラシ等乾燥用の通気孔２４が設けられていることを特徴とする歯ブラシ等携帯用ケースＺである。
【００２７】
本発明の請求項１１に係る発明は、請求項１又は１０記載の歯ブラシ等携帯用ケースＺにおいて、前記底ケースＹの内面側一端部に歯磨きチューブと歯間ブラシを分離するための仕切り板２５が設けられていることを特徴とする歯ブラシ等携帯用ケースＺである。
【００２８】
本発明の請求項１２に係る発明は、請求項１又は１０又は１１記載の歯ブラシ等携帯用ケースＺにおいて、前記底ケースＹの正面部２２の内面側にタワミ防止用リブ２９が設けられていることを特徴とする歯ブラシ等携帯用ケースＺである。
【００２９】
本発明の請求項１３に係る発明は、請求項１又は１０又は１１又は１２記載の歯ブラシ等携帯用ケースＺにおいて、前記底ケースＹの背面部２３の外面側に位置決めストッパー３０が設けられていることを特徴とする歯ブラシ等携帯用ケースＺである。
【発明の効果】
【００３０】
本発明は、被せ蓋と底ケースとで構成されている歯ブラシ等携帯用ケースにおいて、長尺な天面部にディンプル部、歯ブラシ用の割れ防止用リブ付横ぶれ防止板、歯ブラシ用の
割れ防止用リブ及び横倒れ防止用リブ付歯ブラシホルダー、歯ブラシ乾燥用の通気孔を設け、該天面部の一端部から他端部にその長手方向に沿って両側縁に各々側面部を立ち下げ、各々該側面部の該両側縁から垂下した所定の位置の一端部から他端部にその長手方向に沿って、各々該側面部内面に各々側面段差境界線部を設け、各々該側面段差境界線部から、各々側面下端部にかけて、任意の形状を有する各々側面薄肉部を設け、各々該側面薄肉部の一端部に各々ボス受け穴部を設け、該天面部の前縁に逆Ｌ字型ノッチ形状のフロントフック部を設け、後縁に多肉部で補強した背面部を立ち下げた底面開口の逆トレー状の被せ蓋と、長尺な底面部と該底面部の一端部から他端部にその長手方向に沿って両側縁に各々側面部を立ち上げ、各々該側面部の各々側面上端部から垂下した所定の位置の一端部から他端部にその長手方向に沿って、各々該側面部外面に各々側面段差境界線部を設け、各々該側面段差境界線部から各々該側面上端部にかけて、任意の形状を有する各々側面薄肉部を設け、各々該側面薄肉部の一端部に各々ボス部を設け、該底面部の前縁に押し板とフロントフック用受け溝部、及び内面側にタワミ防止用リブを有する正面部を立ち上げ、後縁に位置決めストッパーを設けた背面部を立ち上げた上面開口のトレー状の底ケースとを組み合わせ、前記被せ蓋のボス受け穴部と前記底ケースのボス部を遊嵌し、該被せ蓋と該底ケースを開閉自在にした歯ブラシ等携帯用ケースにより、角型ケースであるためコンパクトで分割収納性に優れ、背面部の位置決めストッパーにより開口角度が直角に保持できるので利便性も良く、嵌合部分が内嵌合のため、落下衝撃による蓋の開口が起こらないので収納品の飛散もなく開閉機能性に優れ、通気孔が被せ蓋と底ケースの２箇所にあり、トンネル効果で空気流通が良く、歯ブラシなどの乾燥速度をあげることができるので衛生的で、各種の補強リブにより強度物性にも優れた完全な歯ブラシ等携帯用ケースを提供する。
【発明を実施するための最良の形態】
【００３１】
次に、本発明を図１から図２７に基づいて、実施するための最良の形態を詳細に説明する。
【００３２】
図1は、本発明に係る歯ブラシ等携帯用ケースＺの一実施例を示す平面図であり、図２は、図1の右側面図であり、図３は、図１のＡ−Ａ線側断面図であり、図４は、被せ蓋Ｘと底ケースＹとの背面連結回転部分（２）において、該被せ蓋Ｘを直角に立ち上げた状態をしめす拡大側断面図であり、図５は、本発明に係る歯ブラシ等携帯用ケースＺの一実施例を示す正面図であり、図６は、図２のＢ−Ｂ線側断面図であり、図７は、本発明に係る歯ブラシ等携帯用ケースＺの嵌合部分（１）の拡大側断面図であり、図８は、本発明に係る歯ブラシ等携帯用ケースＺの背面連結回転部分（２）の拡大側断面図であり、図９は、本発明に係る歯ブラシ等携帯用ケースＺを構成する被せ蓋Ｘの一実施例を示す平面図であり、図１０は、図９の右側面図であり、図１１は、本発明に係る歯ブラシ等携帯用ケースＺを構成する被せ蓋Ｘの一実施例を示す正面図であり、図１２は、図１０のＤ−Ｄ線側断面図であり、図１３は、図9のＣ−Ｃ線側断面図であり、図１４は、図１３のＥ−Ｅ線側断面図であり、図１５は、図１３のＦ−Ｆ線側断面図であり、図１６は、図１３のＧ−Ｇ線側断面図であり、図１７は、本発明に係る歯ブラシ等携帯用ケースＺを構成する被せ蓋Ｘのフロントフック部８の拡大側断面図であり、図１８は、前記フロントフック部８の割れ防止用リブ１１を正面内側から見た拡大図であり、図１９は、本発明に係る歯ブラシ等携帯用ケースＺを構成する底ケースＹの一実施例を示す平面図であり、図２０は、図１９の右側面図であり、図２１は、本発明に係る歯ブラシ等携帯用ケースＺを構成する底ケースＹの一実施例を示す正面図であり、図２２は、図２０のＩ−Ｉ線側断面図であり、図２３は、図２０のＪ−Ｊ線側断面図であり、図２４は、図２０のＫ−Ｋ線側断面図であり、図２５は、図１９のＨ−Ｈ線側断面図であり、図２６は、図２５のＬ−Ｌ線側断面図であり、図２７は、本発明に係る歯ブラシ等携帯用ケースＺを構成する底ケースＹの内側から見た正面図である。
【００３３】
本発明の歯ブラシ等携帯用ケースＺは、図１から図２に示すように、被せ蓋Ｘと底ケースＹとで構成されており、長尺な天面部１と該天面部１の一端部から他端部にその長手方向に沿って両側縁に各々側面部２、２を立ち下げ、各々該側面部２、２の該両側縁から垂下した所定の位置の一端部から他端部にその長手方向に沿って、各々該側面部２、２内面に各々側面段差境界線部２ｂ、２ｂを設け、各々該側面段差境界線部２ｂ、２ｂから、各々側面下端部２ｃ、２ｃにかけて、任意の形状を有する各々側面薄肉部２ａ、２ａを設け、各々該側面薄肉部２ａ、２ａの一端部に各々ボス受け穴部７、７を設け、該天面部１の前縁に逆Ｌ字型ノッチ形状のフロントフック部８を設け、後縁に背面部４を立ち下げた底面開口の逆トレー状の被せ蓋Ｘと、長尺な底面部２０と該底面部２０の一端部から他端部にその長手方向に沿って両側縁に各々側面部２１、２１を立ち上げ、各々該側面部２１、２１の各々側面上端部２１ｃ、２１ｃから垂下した所定の位置の一端部から他端部にその長手方向に沿って、各々該側面部２１、２１外面に各々側面段差境界線部２１ｂ、２１ｂを設け、各々該側面段差境界線部２１ｂ、２１ｂから各々該側面上端部２１ｃ、２１ｃにかけて、任意の形状を有する各々側面薄肉部２１ａ、２１ａを設け、各々該側面薄肉部２１ａ、２１ａの一端部に各々ボス部２６、２６を設け、該底面部２０の前縁に押し板２７とフロントフック用受け溝部２８を有する正面部２２を立ち上げ、後縁に背面部２３を立ち上げた上面開口のトレー状の底ケースＹとを組み合わせ、該被せ蓋Ｘの各々該側面薄肉部２ａ、２ａの内面と該底ケースＹの各々該側面薄肉部２１ａ、２１ａの外面とをスライドさせて重ね合わせ、該被せ蓋Ｘの各々ボス受け穴部７、７と該底ケースＹの各々ボス部２６、２６とを遊嵌させ、該被せ蓋Ｘと該底ケースＹを支持することにより開閉自在にした構造になっている。
【００３４】
該被せ蓋Ｘの各々側面薄肉部２ａ、２ａと該底ケースＹの各々側面薄肉部２１ａ、２１ａの形状と肉厚を同一にすることと、該被せ蓋Ｘの各々側面段差境界線部２ｂ、２ｂと該底ケースＹの各々側面上端部２１ｃ、２１ｃ、および該被せ蓋Ｘの各々側面下端部２ｃ、２ｃと該底ケースＹの各々側面段差境界線部２１ｂ、２１ｂとを合致させることにより、該被せ蓋Ｘと該底ケースＹとが完全に閉じた歯ブラシ等携帯用ケースＺにすることができる。
【００３５】
次に、該被せ蓋Ｘと該底ケースＹの開閉機構について、図３から図８に基づいて詳細に説明する。
【００３６】
該被せ蓋Ｘと該底ケースＹの開閉機構は、図３に示すように、嵌合部分（１）と背面連結回転部分（２）の２個所で構成されている。
【００３７】
先ず、嵌合部分（１）は、該被せ蓋Ｘの天面部１の前縁外面一端部にディンプル部５を設け、該ディンプル部５に指をあて、次に、図５及び図７に示すように、該底ケースＹの正面部２２に設けられた押し板２７を前方に押すことで、歯ブラシ等携帯用ケースＺの材料である合成樹脂特性を生かしたベンディング効果により、該被せ蓋Ｘに設けられたフロントフック部８を該底ケースＹに設けられたフロントフック用受け溝部２８より、外すことでロックを解除し、該被せ蓋Ｘを開くことができる。
【００３８】
逆に、該被せ蓋Ｘを閉じる場合は、該被せ蓋Ｘの天面部１の前縁外面一端部に設けられたディンプル部５に指を押し当てることにより、該被せ蓋Ｘに設けられたフロントフック部８が該底ケースＹに設けられたフロントフック用受け溝部２８に合成樹脂特性を生かしたベンディング効果により挿入され、ロックすることができる。
【００３９】
次に、背面連結回転部分（２）は、図４及び図６に示すように、該被せ蓋Ｘのボス受け穴部７と該底ケースＹのボス部２６を遊嵌することにより、該被せ蓋Ｘと該底ケースＹを開閉自在にした構造になっている。
【００４０】
また、図４及び図８に示すように、該底ケースＹの背面部２３の外面側に位置決めストッパー３０が設けられており、該ストッパー３０により、該被せ蓋Ｘを開いた場合、該被せ蓋Ｘが９０度で止まり、それ以上回転して該被せ蓋Ｘが底ケースＹのボス部２６より外れないようになっている。
【００４１】
次に、本発明に係る歯ブラシ等携帯用ケースＺを構成している、該被せ蓋Ｘと該底ケースＹの構造について、図９から図２７に基づいて詳細に説明する。
【００４２】
先ず、該被せ蓋Ｘの構造について、図９から図１８に基づいて詳細に設明する。
【００４３】
該被せ蓋Ｘは、図９に示すように、長尺な天面部１と該天面部１の外面一端部に該被せ蓋Ｘと該底ケースＹの開閉の際に使用する、指を押し当てるためのディンプル部５を設け、また他端部に空気を取り入れ、歯ブラシなどの乾燥を行うために必要な通気孔６を設けている。
【００４４】
図１０に示すように、該天面部１の一端部から他端部にその長手方向に沿って両側縁に各々側面部２、２を立ち下げ、各々該側面部２、２の該両側縁から垂下した所定の位置の一端部から他端部にその長手方向に沿って、各々該側面部２、２内面に各々側面段差境界線部２ｂ、２ｂを設け、各々該側面段差境界線部２ｂ、２ｂから、各々側面下端部２ｃ、２ｃにかけて、任意の形状を有する各々側面薄肉部２ａ、２ａを設け、各々該側面薄肉部２ａ、２ａの一端部に該底ケースＹのボス部２６、２６と遊嵌するために必要な各々ボス受け穴部７、７を設けている。
【００４５】
また、該天面部１の前縁に逆Ｌ字型ノッチ形状のフロントフック部８を設け、後縁に背面部４を立ち下げた底面開口の逆トレー状の形態をしている。
【００４６】
該被せ蓋Ｘの正面部は、図１１に示すように、天面部１の中央左右に広がつたディンプル部５を有し、両端に側面部２、２を立ち下げ、中央部にフロントフック部８が形成された山型形状をしている。
【００４７】
図１２に示すように、該被せ蓋Ｘの他端部に設けられた通気孔６の直下の内面側に歯ブラシホルダー１０が設けられ、さらに側面薄肉部２ａ、２ａ後方にボス受け穴部７、７が設けられている。
【００４８】
図１３に示すように、該被せ蓋Ｘには、該天面部１の内面側中央部に歯ブラシの横ぶれ防止板９が設けられ、背面部４は歯ブラシの柄先端の落下衝撃による割れ防止のため多肉部１３に成形されている。
【００４９】
該被せ蓋Ｘは、図１４に示すように、天面部１と両側面部２、２のプレーンな部分は、特に強度保持のための割れ防止用リブ１１は設けなくても問題ない設計になっている。
【００５０】
しかしながら、使用する成形材料が、例えば、スチレン系合成樹脂の場合は、落下強度に弱いので、特に横ぶれ防止板９、歯ブラシホルダー１０、フロントフック部８は、割れ防止用リブ１１を設けて、落下などによる外部応力の負荷による、破損が発生しない工夫がなされている。
【００５１】
図１５に示すように、被せ蓋Ｘにセットした歯ブラシが携行中に横ぶれを起こさないように固定する横ぶれ防止板９は、側面落下した際に歯ブラシの衝撃による割れを防止するために、該横ぶれ防止板９と天面部１との接合部分に割れ防止用リブ１１が設けられてい
る。
【００５２】
図１６に示すように、該歯ブラシホルダー１０は、垂直落下などによる歯ブラシの衝撃に耐えるように、該ホルダー１０のＵ字部の底辺部に割れ防止用リブ１１及び天面部１との接合部分に横倒れ防止用リブ１２が設けられている。
【００５３】
図１７及び図１８に示すように、該被せ蓋Ｘのフロントフック部８の内面側に前面から垂直落下した際に、フロントフック部８の割れを防止する割れ防止用リブ１１が設けられている。
【００５４】
次に、該底ケースＹの構造について、図１９から図２７に基づいて詳細に設明する。
【００５５】
図１９に示すように、該底ケースＹは、底面部２０の一端部に歯ブラシ等乾燥用の通気孔２４が設けられ、また歯磨きチューブと歯間ブラシを分離するための仕切り板２５が設けられている。
【００５６】
図２０に示すように、該底面部２０の一端部から他端部にその長手方向に沿って両側縁に各々側面部２１、２１を立ち上げ、各々該側面部２１、２１の各々側面上端部２１ｃ、２１ｃから垂下した所定の位置の一端部から他端部にその長手方向に沿って、各々該側面部２１、２１外面に各々側面段差境界線部２１ｂ、２１ｂを設け、各々該側面段差境界線部２１ｂ、２１ｂから各々該側面上端部２１ｃ、２１ｃにかけて、任意の形状を有する各々側面薄肉部２１ａ、２１ａを設け、各々該側面薄肉部２１ａ、２１ａの一端部に該被せ蓋Ｘのボス受け穴部７と遊嵌するために必要な各々ボス部２６、２６を設けている。
【００５７】
また、底ケースＹは、該底面部２０の前縁に押し板２７とフロントフック用受け溝部２８を有する正面部２２を立ち上げ、後縁に背面部２３を立ち上げた上面開口のトレー状の形態をしている。
【００５８】
さらに、該底ケースＹの正面部２２の内面側に設けてある該被せ蓋Ｘと該底ケースＹの開閉の際に使用する該押し板２７が押しすぎたり、或いは引きすぎたりされた場合でも、該押し板２７が曲がったり、折れたりしないように、該正面部２２にタワミ防止用リブ２９が設けられている。
【００５９】
次に、該底ケースＹの背面部２３の外面側に位置決めストッパー３０が設けられており、該ストッパー３０により、該被せ蓋Ｘを開いた場合、該被せ蓋Ｘが９０度で止まり、それ以上回転して該被せ蓋Ｘが底ケースＹのボス部２６より外れないようになっている。
【００６０】
該底ケースＹの正面部２２は、図２１に示すように、上部に中央左右に広がつた押し板２７を有し、該押し板２７の直下にフロントフック用受け溝部２８を有した形状をしている。
【００６１】
該底ケースＹは、図２２、及び図２３に示すように、底面部２０と両側面部２１のプレーンな部分は、特に強度保持のための割れ防止用リブ１１は設けなくても問題ない設計になっている。
【００６２】
図２４に示すように、該底ケースＹの側面薄肉部２１ａ、２１ａ後方に該被せ蓋Ｘのボス受け穴部７、７と遊嵌するボス部２６、２６が設けられている。
【００６３】
図２５に示すように、該底ケースＹは、該底面部２０の前縁に押し板２７とフロントフック用受け溝部２８を有する正面部２２を立ち上げ、該正面部２２の内面側に該正面部２
２が曲がったり、折れたりしないようにタワミ防止用リブ２９が設けられ、該底面部２０には、通気孔２４と歯磨きチューブと歯間ブラシを分離するための仕切り板２５が設けられ、さらに後縁に位置決めストッパー３０を有する背面部２３を立ち上げた上面開口のトレー状の形態をしている。
【００６４】
図２６に示すように、該仕切り板２５は、中央部がＵ字型形状をしており、図２７に示すように、２本のタワミ防止用リブ２９、２９が、該正面部２２に平行に設けられている。
【００６５】
以上のように、本発明の被せ蓋Ｘと底ケースＹとで構成されている歯ブラシ等携帯用ケースＺは、長尺な天面部１にディンプル部５、歯ブラシ用の割れ防止用リブ１１付横ぶれ防止板９、歯ブラシ用の割れ防止用リブ１１及び横倒れ防止用リブ１２付歯ブラシホルダー１０、歯ブラシ乾燥用の通気孔６を設け、該天面部１の一端部から他端部にその長手方向に沿って両側縁に各々側面部２、２を立ち下げ、各々該側面部２、２の該両側縁から垂下した所定の位置の一端部から他端部にその長手方向に沿って、各々該側面部２、２内面に各々側面段差境界線部２ｂ、２ｂを設け、各々該側面段差境界線部２ｂ、２ｂから、各々側面下端部２ｃ、２ｃにかけて、任意の形状を有する各々側面薄肉部２ａ、２ａを設け、各々該側面薄肉部２ａ、２ａの一端部に各々ボス受け穴部７、７を設け、該天面部１の前縁に逆Ｌ字型ノッチ形状のフロントフック部８を設け、後縁に多肉部１３で補強した背面部４を立ち下げた底面開口の逆トレー状の被せ蓋Ｘと、長尺な底面部２０と該底面部２０の一端部から他端部にその長手方向に沿って両側縁に各々側面部２１、２１を立ち上げ、各々該側面部２１、２１の各々側面上端部２１ｃ、２１ｃから垂下した所定の位置の一端部から他端部にその長手方向に沿って、各々該側面部２１、２１外面に各々側面段差境界線部２１ｂ、２１ｂを設け、各々該側面段差境界線部２１ｂ、２１ｂから各々該側面上端部２１ｃ、２１ｃにかけて、任意の形状を有する各々側面薄肉部２１ａ、２１ａを設け、各々該側面薄肉部２１ａ、２１ａの一端部に各々ボス部２６、２６を設け、該底面部２０の前縁に押し板２７とフロントフック用受け溝部２８、及び内面側にタワミ防止用リブ２９を有する正面部２２を立ち上げ、後縁に位置決めストッパー３０を設けた背面部２３を立ち上げた上面開口のトレー状の底ケースＹとを組み合わせ、前記被せ蓋Ｘのボス受け穴部７と前記底ケースＹのボス部２６を遊嵌し、該被せ蓋Ｘと該底ケースＹを開閉自在にした歯ブラシ等携帯用ケースＺにより、角型ケースであるためコンパクトで分割収納性に優れ、背面部の位置決めストッパーにより開口角度が直角に保持できるので利便性も良く、嵌合部分が内嵌合のため、落下衝撃による蓋の開口が起こらないので収納品の飛散もなく開閉機能性に優れ、通気孔が被せ蓋Ｘと底ケースＹの２箇所にあり、トンネル効果で空気流通が良く、歯ブラシなどの乾燥速度をあげることができるので衛生的で、各種の補強リブにより強度物性にも優れた完全な歯ブラシ等携帯用ケースＺを提供する。
【実施例１】
【００６６】
本発明の被せ蓋と底ケースとで構成されている歯ブラシ等携帯用ケースの実施例を図１から図２７に基づいて詳細に説明する。
【００６７】
先ず、該被せ蓋Ｘは、図９から図１８に示すような形態になるように射出成形用金型を作製し、スチレン系合成樹脂を使用して射出成形をした。
【００６８】
図９に示すように、天面部１は、幅３０ｍｍ×長さ１８０ｍｍに設計し、該天面部１には、外面一端部に該被せ蓋Ｘと該底ケースＹの開閉の際に使用する、指を押し当てるための半楕円形状のディンプル部５を設けた。
【００６９】
また、他端部に空気を取り入れ、歯ブラシなどの乾燥を行うため、幅３ｍｍ×長さ１５ｍｍの通気孔６を４個設けた。
【００７０】
図１０に示すように、該天面部１の一端部から他端部にその長手方向に沿って両側縁に各々側面部２、２を前方高さ２０ｍｍ、中央部の高さ２０ｍｍ、後方高さ４０ｍｍに設計し、各々該側面部２、２内面の該両側縁から１７ｍｍ垂下した位置の一端部から他端部にその長手方向に沿って、１ｍｍ厚の段差を有する各々側面段差境界線部２ｂ、２ｂを設け、各々該側面段差境界線部２ｂ、２ｂから、各々該側面下端部２ｃ、２ｃにかけて、前半の９０ｍｍの間には、１ｍｍ厚の各々側面薄肉部２ａ、２ａを波状の曲線をつけて立ち下げ、
後半の９０ｍｍの間は、ゆるい曲線にして立ち下げた。
【００７１】
図１１に示すように、該被せ蓋Ｘの正面部は、該天面部１の前縁に逆Ｌ字型ノッチ形状の幅１０ｍｍ×高さ３ｍｍのフロントフック部８を設けた。
【００７２】
さらに、図１２に示すように、該被せ蓋Ｘの一端部に設けられた４個の通気孔６の直下の内面側に幅１８ｍｍ×高さ９ｍｍ×厚み２ｍｍの４個のホルダー部から構成される歯ブラシホルダー１０を設けた。
【００７３】
また、側面薄肉部２ａ、２ａの後方一端部に該底ケースＹのボス部２６、２６と遊嵌するために必要な直径１０ｍｍのボス受け穴部７、７を設けた。
【００７４】
次に、成形材料にスチレン系合成樹脂を使用したので、落下などによる外部応力の負荷による破損を防止する対策として、特に横ぶれ防止板９、歯ブラシホルダー１０、フロントフック部８には、割れ防止用リブ１１を設けた。
【００７５】
図１３に示すように、該天面部１の内面側中央部に幅１０ｍｍ×高さ１１ｍｍ×厚み１ｍｍの歯ブラシの横ぶれ防止板９を設け、背面部４は歯ブラシの柄先端の落下衝撃による割れ防止のため多肉部１３になるように設計した。
【００７６】
図１４に示すように、天面部１と両側面部２、２のプレーンな部分は、特に強度保持のための割れ防止用リブ１１は設けなかった。
【００７７】
図１５に示すように、被せ蓋Ｘにセットした歯ブラシが携行中に横ぶれを起こさないように固定する横ぶれ防止板９、９は、側面落下した際に歯ブラシの衝撃による割れを防止するために、該横ぶれ防止板９と天面部１との接合部分に割れ防止用リブ１１を設けた。
【００７８】
図１６に示すように、該歯ブラシホルダー１０は、垂直落下などによる歯ブラシの衝撃に耐えるように、該ホルダー１０のＵ字部の底辺部に割れ防止用リブ１１及び天面部１との接合部分に横倒れ防止用リブ１２を設けた。
【００７９】
図１７及び図１８に示すように、該被せ蓋Ｘのフロントフック部８の内面側に前面から垂直落下した際に、フロントフック部８の割れを防止する割れ防止用リブ１１を設けた。
【００８０】
次に、該底ケースＹは、図１９から図２７に示すような形態になるように射出成形用金型を作製し、スチレン系合成樹脂を使用して射出成形をした。
【００８１】
図１９に示すように、底面部２０は、幅３０ｍｍ×長さ１８０ｍｍに設計し、該底面部２０の前方一端部に歯ブラシ等乾燥用の直径２ｍｍの通気孔２４を幅方向に３個×長さ方向に４個＝１２個設けた。
【００８２】
また、歯磨きチューブと歯間ブラシを分離するため中央部が凹状になった仕切り板２５
を設けた。
【００８３】
図２０に示すように、該底面部２０の一端部から他端部にその長手方向に沿って両側縁に各々長さ１８０ｍｍ×高さ２４ｍｍの側面部２１、２１を立ち上げ、各々該側面部２１、２１の各々側面上端部２１ｃ、２１ｃから２ｍｍ垂下した位置の一端部から他端部にその長手方向に沿って、各々該側面部２１、２１外面に１ｍｍ厚の段差を有する各々側面段差境界線部２１ｂ、２１ｂを前半の９０ｍｍの間には、波状の曲線をつけて設け、後半の９０ｍｍの間は、ゆるい曲線で設けた。
【００８４】
各々該側面段差境界線部２１ｂ、２１ｂから各々該側面上端部２１ｃ、２１ｃにかけて、１ｍｍ厚の各々側面薄肉部２１ａ、２１ａを設けた。
【００８５】
各々該側面薄肉部２１ａ、２１ａの一端部に該被せ蓋Ｘのボス受け穴部７、７と遊嵌する直径１０ｍｍの各々ボス部２６、２６を設け、該底面部２０の前縁に押し板２７とフロントフック用受け溝部２８を有する上部が山型形状をした正面部２２を立ち上げ、後縁に幅２６ｍｍ×高さ１７ｍｍの背面部２３を立ち上げた。
【００８６】
図２１に示すように、該底ケースＹの正面部２２は、幅３０ｍｍ×高さ４０ｍｍの上部が山型形状で幅１４ｍｍ×高さ４ｍｍの押し板２７と幅１０ｍｍ×高さ２ｍｍｍのフロントフック用受け溝部２８を設けた。
【００８７】
該底ケースＹは、図２２、及び図２３に示すように、底面部２０と両側面部２１、２１のプレーンな部分は、特に強度保持のための割れ防止用リブ１１は設けなかった。
【００８８】
図２４に示すように、該底ケースＹの側面薄肉部２１ａ、２１ａの後方に該被せ蓋Ｘのボス受け穴部７、７と遊嵌する直径９．８ｍｍのボス部２６、２６を設けた。
【００８９】
このように図２５に示すように、該底ケースＹは、該底面部２０の前縁に押し板２７とフロントフック用受け溝部２８を有する正面部２２を設けた。
【００９０】
該正面部２２の内面側に正面部２２のタワミ防止用リブ２９を２本設け、該底面部２０には、通気孔２４と歯磨きチューブと歯間ブラシを分離するための仕切り板２５を設けた。
【００９１】
さらに該底面部２０の後縁に位置決め幅１０ｍｍ×厚み２ｍｍのストッパー３０を有する背面部２３を設け、該ストッパー３０により、該被せ蓋Ｘを開いた場合、該被せ蓋Ｘが９０度で止まり、それ以上回転して該被せ蓋Ｘが底ケースＹのボス部２６より外れないようにした上面開口のトレー状の形態にした。
【００９２】
図２６に示すように、該底ケースＹには、歯磨きチューブと歯間ブラシを分離するため中央部が凹状になった２５ｍｍ×高さ１６ｍｍの仕切り板２５を設けた。
【００９３】
図２７に示すように、該底ケースＹの正面部２２の内面側に設けてある該被せ蓋Ｘと該底ケースＹの開閉の際に使用する該押し板２７が押しすぎたり、或いは引きすぎたりされた場合でも、該押し板２７が曲がったり、折れたりしないように、該正面部２２に長さ２５ｍｍ×幅２ｍｍ×厚み３ｍｍのタワミ防止用リブ２９を平行に２本設けた。
【００９４】
以上のようにして作製した、該被せ蓋Ｘと該底ケースＹとを組み合わせ、該被せ蓋Ｘのボス受け穴部７、７と該底ケースＹのボス部２６、２６を遊嵌することにより、該被せ蓋Ｘと該底ケースＹが開閉自在になっている構造の本発明の歯ブラシ等携帯用ケースＺに市
販の歯ブラシと歯磨きチューブと歯間ブラシを収納した。
【００９５】
該歯ブラシは、該歯ブラシの柄の先端部を該被せ蓋Ｘの歯ブラシホルダー１０にセットし、歯磨きチューブと歯間ブラシは、各々該底ケースＹに分割して収納した。
【００９６】
次に、歯ブラシと歯磨きチューブ及び歯間ブラシを収納後、該底ケースＹに該被せ蓋Ｘを被せ、図３に示す、嵌合部分（１）をロックした。
【００９７】
該底ケースＹに該被せ蓋Ｘを被せてロックした状態で１ｍの高さから、天面部１、側面部２（２１）、正面部３（２２）、背面部４（２３）の各々の面を落下方向にして落下テストを行った結果、どの面から落下させても割れ防止リブ１５などにより全く損傷は発生せず、また嵌合方式が内嵌合のため嵌合部が開口することはなかった。
【００９８】
また、歯ブラシが使用した後、すぐに収納したが該被せ蓋Ｘと該底ケースＹとに設けられた通気孔６（２４）により、空気の流通が良く乾燥が速かった。
【００９９】
次に、収納物を取り出すため、該被せ蓋Ｘの天面部１のディンプル部５に指をあて、次に、図５及び図７に示すように、該底ケースＹの正面部２２に設けられた押し板２７を前方に押したところ、合成樹脂のベンディング効果により、該被せ蓋Ｘに設けられたフロントフック部８を該底ケースＹに設けられたフロントフック用受け溝部２８より、簡単に解除ができ、該被せ蓋Ｘを開くことができた。
【０１００】
次に、図４及び図６に示すように、背面連結回転部分（２）は、該被せ蓋Ｘのボス受け穴部７、７と該底ケースＹのボス部２６、２６とが遊嵌しているので、該被せ蓋Ｘと該底ケースＹを開閉自在にできた。
【０１０１】
また、図８に示すように、該底ケースＹの背面部２３の外面側に位置決めストッパー３０を設けてあるので、該ストッパー３０により、該被せ蓋Ｘを開いた場合、該被せ蓋Ｘが９０度で止まり、収納物の取出しが容易であった。
【０１０２】
次に、該被せ蓋Ｘを閉じる場合は、該被せ蓋Ｘの天面部１に設けられたディンプル部５に指を押し当てることにより、該被せ蓋Ｘに設けられたフロントフック部８が該底ケースＹに設けられたフロントフック用受け溝部２８に合成樹脂のベンディング効果により、簡単に挿入することができ該被せ蓋Ｘを閉じることができた。
【０１０３】
以上のように、本発明の被せ蓋Ｘと底ケースＹとで構成されている歯ブラシ等携帯用ケースＺは、長尺な天面部１にディンプル部５、歯ブラシ用の割れ防止用リブ１１付横ぶれ防止板９、歯ブラシ用の割れ防止用リブ１１及び横倒れ防止用リブ１２付歯ブラシホルダー１０、歯ブラシ乾燥用の通気孔６を設け、該天面部１の一端部から他端部にその長手方向に沿って両側縁に各々側面部２、２を立ち下げ、各々該側面部２、２の該両側縁から垂下した所定の位置の一端部から他端部にその長手方向に沿って、各々該側面部２、２内面に各々側面段差境界線部２ｂ、２ｂを設け、各々該側面段差境界線部２ｂ、２ｂから、各々側面下端部２ｃ、２ｃにかけて、任意の形状を有する各々側面薄肉部２ａ、２ａを設け、各々該側面薄肉部２ａ、２ａの一端部に各々ボス受け穴部７、７を設け、該天面部１の前縁に逆Ｌ字型ノッチ形状のフロントフック部８を設け、後縁に多肉部１３で補強した背面部４を立ち下げた底面開口の逆トレー状の被せ蓋Ｘと、長尺な底面部２０と該底面部２０の一端部から他端部にその長手方向に沿って両側縁に各々側面部２１、２１を立ち上げ、各々該側面部２１、２１の各々側面上端部２１ｃ、２１ｃから垂下した所定の位置の一端部から他端部にその長手方向に沿って、各々該側面部２１、２１外面に各々側面段差境界線部２１ｂ、２１ｂを設け、各々該側面段差境界線部２１ｂ、２１ｂから各々該側面上
端部２１ｃ、２１ｃにかけて、任意の形状を有する各々側面薄肉部２１ａ、２１ａを設け、各々該側面薄肉部２１ａ、２１ａの一端部に各々ボス部２６、２６を設け、該底面部２０の前縁に押し板２７とフロントフック用受け溝部２８、及び内面側にタワミ防止用リブ２９を有する正面部２２を立ち上げ、後縁に位置決めストッパー３０を設けた背面部２３を立ち上げた上面開口のトレー状の底ケースＹとを組み合わせ、前記被せ蓋Ｘのボス受け穴部７と前記底ケースＹのボス部２６を遊嵌し、該被せ蓋Ｘと該底ケースＹを開閉自在にした歯ブラシ等携帯用ケースＺにより、角型ケースであるためコンパクトで分割収納性に優れ、背面部の位置決めストッパーにより開口角度が直角に保持できるので利便性も良く、嵌合部分が内嵌合のため、落下衝撃による蓋の開口が起こらないので収納品の飛散もなく開閉機能性に優れ、通気孔が被せ蓋Ｘと底ケースＹの２箇所にあり、トンネル効果で空気流通が良く、歯ブラシなどの乾燥速度をあげることができるので衛生的で、各種の補強リブにより強度物性にも優れた完全な歯ブラシ等携帯用ケースＺを提供する。
【産業上の利用可能性】
【０１０４】
このような歯ブラシ等携帯用ケースの活用例としては、食器道具である箸入れやスプーン、ホークなどの携帯用ケースにも活用できるものである。
【図面の簡単な説明】
【０１０５】
【図１】本発明に係る歯ブラシ等携帯用ケースの一実施例を示す平面図である。
【図２】図1の右側面図である。
【図３】図１のＡ−Ａ線側断面図である。
【図４】本発明に係る歯ブラシ等携帯用ケースを構成している被せ蓋と底ケースとの背面連結回転部分において、該被せ蓋を直角に立ち上げた状態をしめす拡大側断面図である。
【図５】本発明に係る歯ブラシ等携帯用ケースの一実施例を示す正面図である。
【図６】図２のＢ−Ｂ線側断面図である。
【図７】本発明に係る歯ブラシ等携帯用ケースの嵌合部分の拡大側断面図である。
【図８】本発明に係る歯ブラシ等携帯用ケースの背面連結回転部分の拡大側断面図である。
【図９】本発明に係る歯ブラシ等携帯用ケースを構成している被せ蓋の一実施例を示す平面図である。
【図１０】図９の右側面図である。
【図１１】本発明に係る歯ブラシ等携帯用ケースを構成している被せ蓋の一実施例を示す正面図である。
【図１２】図１０のＤ−Ｄ線側断面図である。
【図１３】図９のＣ−Ｃ線側断面図である。
【図１４】図１３のＥ−Ｅ線側断面図である。
【図１５】図１３のＦ−Ｆ線側断面図である。
【図１６】図１３のＧ−Ｇ線側断面図である。
【図１７】本発明に係る歯ブラシ等携帯用ケースＺを構成している被せ蓋のフロントフック部の拡大側断面図である。
【図１８】前記フロントフック部の割れ防止用リブを正面内側から見た拡大図である。
【図１９】本発明に係る歯ブラシ等携帯用ケースを構成している底ケースの一実施例を示す平面図である。
【図２０】図１９の右側面図である。
【図２１】本発明に係る歯ブラシ等携帯用ケースを構成している底ケースの一実施例を示す正面図である。
【図２２】図２０のＩ−Ｉ線側断面図である。
【図２３】図２０のＪ−Ｊ線側断面図である。
【図２４】図２０のＫ−Ｋ線側断面図である。
【図２５】図１９のＨ−Ｈ線側断面図である。
【図２６】図２５のＬ−Ｌ線側断面図である。
【図２７】本発明に係る歯ブラシ等携帯用ケースを構成している底ケースの内側から見た正面図である。
【符号の説明】
【０１０６】
Ｘ・・・被せ蓋
Ｙ・・・底ケース
Ｚ・・・歯ブラシ等携帯ケース
（１）・・・嵌合部分
（２）・・・背面連結回転部分
１・・・天面部
２・・・側面部  ２ａ・・・側面薄肉部  ２ｂ・・・側面段差境界線部
２ｃ・・・側面下端部
３・・・正面部
４・・・背面部
５・・・ディンプル部
６・・・通気孔
７・・・ボス受け穴部
８・・・フロントフック部
９・・・横ぶれ防止板
１０・・・歯ブラシホルダー
１１・・・割れ防止用リブ
１２・・・横倒れ防止用リブ
１３・・・多肉部
２０・・・底面部
２１・・・側面部  ２１ａ・・・側面薄肉部  ２１ｂ・・・側面段差境界線部
２１ｃ・・・側面上端部
２２・・・正面部
２３・・・背面部
２４・・・通気孔
２５・・・仕切り板
２６・・・ボス部
２７・・・押し板
２８・・・フロントフック用受け溝部
２９・・・タワミ防止用リブ
３０・・・ストッパー
【図１】
2005052525.tif 000003
【図２】
2005052525.tif 000004
【図３】
2005052525.tif 000005
【図４】
2005052525.tif 000006
【図５】
2005052525.tif 000007
【図６】
2005052525.tif 000008
【図７】
2005052525.tif 000009
【図８】
2005052525.tif 000010
【図９】
2005052525.tif 000011
【図１０】
2005052525.tif 000012
【図１１】
2005052525.tif 000013
【図１２】
2005052525.tif 000014
【図１３】
2005052525.tif 000015
【図１４】
2005052525.tif 000016
【図１５】
2005052525.tif 000017
【図１６】
2005052525.tif 000018
【図１７】
2005052525.tif 000019
【図１８】
2005052525.tif 000020
【図１９】
2005052525.tif 000021
【図２０】
2005052525.tif 000022
【図２１】
2005052525.tif 000023
【図２２】
2005052525.tif 000024
【図２３】
2005052525.tif 000025
【図２４】
2005052525.tif 000026
【図２５】
2005052525.tif 000027
【図２６】
2005052525.tif 000028
【図２７】
2005052525.tif 000029